(57)【要約】【課題】容量の異なる複数の無停電電源装置に使用することが可能な増設バッテリボックスを提供する。【解決手段】バッテリ４個直列型無停電電源装置１に内蔵されたバッテリの個数と、８個直列型無停電電源装置２１に内蔵されたバッテリの個数の最小公倍数にてユニット化された８個のバッテリ１２ａ〜１２ｈを増設バッテリボックス１１に搭載し、バッテリ４個直列型無停電電源装置１に内蔵されたバッテリ２ａ〜２ｄの個数の２倍を並列接続する切り替え部１３ａを設けるとともに、８個直列型無停電電源装置２１に内蔵されたバッテリ２２ａ〜２２ｈの個数に対応してバッテリ１２ａ〜１２ｈを直列接続する切り替え部１３ｂを設ける。【選択図】      図１
2007215267.tif 000002
【特許請求の範囲】
【請求項１】
複数の増設用バッテリと、
電源装置に内蔵された内蔵バッテリの個数ｍ（ｍは正の整数）に対応して前記増設用バッテリの直列接続数を切り替える切り替え部とを備えることを特徴とする増設バッテリボックス。
【請求項２】
容量の異なる電源装置にそれぞれ内蔵された内蔵バッテリの個数の最小公倍数にてユニット化された増設用バッテリと、
前記電源装置に内蔵された内蔵バッテリの個数ｍ（ｍは正の整数）に対応して前記増設用バッテリを直列接続するとともに、前記内蔵バッテリの個数ｍのｎ（ｎは正の整数）倍を並列接続する切り替え部とを備えることを特徴とする増設バッテリボックス。
【発明の詳細な説明】
【技術分野】
【０００１】
本発明は増設バッテリボックスに関し、特に、容量の異なる複数の無停電電源装置と増設バッテリボックスとの接続構造に適用して好適なものである。
【背景技術】
【０００２】
無停電電源装置のバックアップ時間は、無停電電源装置本体に内蔵されているバッテリの容量によって決定されている。このため、無停電電源装置のバックアップ時間を増加させる場合、増設バッテリボックスを無停電電源装置に接続し、無停電電源装置に接続されたバッテリを増設することが行われている。ここで、増設バッテリボックスを無停電電源装置に接続する場合、無停電電源装置に増設されるバッテリの個数は、無停電電源装置本体に内蔵されているバッテリの個数ｍ（ｍは正の整数）のｎ（ｎは正の整数）倍が並列接続されるように設定する必要がある。また、無停電電源装置においては、無停電電源装置の容量と無停電電源装置本体に内蔵されているバッテリの個数ｍとは比例関係にあることが多い。このため、例えば、４個のバッテリが内蔵されている無停電電源装置にバッテリを増設する場合、４×ｎ個の増設用バッテリを用意する必要があり、８個のバッテリが内蔵されている無停電電源装置にバッテリを増設する場合、８×ｎ個の増設用バッテリを用意する必要がある。
【０００３】
図３は、従来の４個直列タイプの増設バッテリボックスの接続方法を示す平面図である。
図３において、バッテリ４個直列型無停電電源装置１０１には、直列接続された４個のバッテリ１０２ａ〜１０２ｄが内蔵され、バッテリ４個直列型無停電電源装置１０１の回路部１０３に接続されている。
一方、増設バッテリボックス１１１には、８個のバッテリ１１２ａ〜１１２ｈが設けられている。そして、バッテリ４個直列型無停電電源装置１０１のバッテリの個数に対応するように、８個のバッテリ１１２ａ〜１１２ｈのうちの４個のバッテリ１１２ａ〜１１２ｄが直列接続されるとともに、８個のバッテリ１１２ａ〜１１２ｈのうちの残りの４個のバッテリ１１２ｅ〜１１２ｈが直列接続されている。
そして、バッテリ４個直列型無停電電源装置１０１のバッテリを増設する場合、直列接続された４個のバッテリ１１２ａ〜１１２ｄを組としてバッテリ１０２ａ〜１０２ｄに並列接続するとともに、直列接続された４個のバッテリ１１２ｅ〜１１２ｈを組としてバッテリ１０２ａ〜１０２ｄに並列接続する。
【０００４】
図４は、従来の８個直列タイプの増設バッテリボックスの接続方法を示す平面図である。
図４において、バッテリ８個直列型無停電電源装置２０１には、直列接続された８個のバッテリ２０２ａ〜２０２ｈが内蔵され、バッテリ８個直列型無停電電源装置２０１の回路部２０３に接続されている。
一方、増設バッテリボックス２１１には、８個のバッテリ２１２ａ〜２１２ｈが設けられている。そして、バッテリ８個直列型無停電電源装置２０１のバッテリの個数に対応するように、８個のバッテリ２１２ａ〜２１２ｈが直列接続されている。
【０００５】
そして、バッテリ８個直列型無停電電源装置２０１のバッテリを増設する場合、直列接続された８個のバッテリ２１２ａ〜２１２ｈを組としてバッテリ２０２ａ〜２０２ｈに並列接続する。
また、例えば、特許文献１には、任意のバックアップ時間を設定することができ、かつ新旧バッテリの混在を可能とする増設バッテリボックスを実現するために、電源装置と増設バッテリボックスとの間で相互通信を実現し、増設バッテリボックスの充放電が任意に可能となるコミュニケーション方式が開示されている。
【特許文献１】特開２００１−１５７３８０号公報
【発明の開示】
【発明が解決しようとする課題】
【０００６】
しかしながら、従来の増設バッテリボックスでは、無停電電源装置本体に内蔵されているバッテリの個数ｍのｎ倍が並列接続されるようにするために、無停電電源装置本体に内蔵されているバッテリの個数ｍに合わせて増設バッテリボックスのバッテリの直列接続数が決められていた。このため、無停電電源装置本体に内蔵されているバッテリの個数ｍが異なる場合、製造者側では、バッテリの個数ｍの異なる無停電電源装置ごとに増設バッテリボックスを開発する必要があるとともに、使用者側では、バッテリの個数ｍの異なる無停電電源装置ごとに増設バッテリボックスを購入する必要があり、製造者側および使用者側の負担が大きいという問題があった。例えば、４個のバッテリが内蔵されている無停電電源装置に対しては、４×ｎ個のバッテリが搭載された増設バッテリボックスを用意する必要があり、８個のバッテリが内蔵されている無停電電源装置に対しては、８×ｎ個のバッテリが搭載された増設バッテリボックスを用意する必要があった。
そこで、本発明の目的は、容量の異なる複数の無停電電源装置に使用することが可能な増設バッテリボックスを提供することである。
【課題を解決するための手段】
【０００７】
上述した課題を解決するために、請求項１記載の増設バッテリボックスによれば、複数の増設用バッテリと、電源装置に内蔵された内蔵バッテリの個数ｍ（ｍは正の整数）に対応して前記増設用バッテリの直列接続数を切り替える切り替え部とを備えることを特徴とする。
これにより、電源装置本体に内蔵されているバッテリの個数が異なる場合にいても、増設用バッテリの直列接続数を切り替えることで、増設バッテリボックスを交換することなく、電源装置に接続されたバッテリを増設することができる。
【０００８】
また、請求項２記載の増設バッテリボックスによれば、容量の異なる電源装置にそれぞれ内蔵された内蔵バッテリの個数の最小公倍数にてユニット化された増設用バッテリと、前記電源装置に内蔵された内蔵バッテリの個数ｍ（ｍは正の整数）に対応して前記増設用バッテリを直列接続するとともに、前記内蔵バッテリの個数ｍのｎ（ｎは正の整数）倍を並列接続する切り替え部とを備えることを特徴とする。
【０００９】
これにより、電源装置本体に内蔵されているバッテリの個数が異なる場合にいても、増設用バッテリの直列接続数を切り替えることで、増設バッテリボックスを交換することなく、電源装置本体に内蔵されているバッテリの個数ｍのｎ倍が並列接続されるように構成することができる。このため、製造者側では、バッテリの個数ｍの異なる電源装置ごとに増設バッテリボックスを開発する必要がなくなるとともに、使用者側では、バッテリの個数ｍの異なる無停電電源装置ごとに増設バッテリボックスを購入する必要がなくなり、製造者側および使用者側の負担を軽減しつつ、電源装置に接続されたバッテリを増設することができる。
【発明の効果】
【００１０】
以上説明したように、本発明によれば、電源装置本体に内蔵されているバッテリの個数が異なる場合にいても、増設バッテリボックスを交換することなく、電源装置に接続されたバッテリを増設することができ、製造者側および使用者側の負担を軽減することができる。
【発明を実施するための最良の形態】
【００１１】
以下、本発明の実施形態に係る増設バッテリボックスについて図面を参照しながら説明する。
図１および図２は、本発明の一実施形態に係る増設バッテリボックスの接続方法を示す平面図である。
図１および図２において、増設バッテリボックス１１に接続される電源装置として、図１のバッテリ４個直列型無停電電源装置１および図２のバッテリ８個直列型無停電電源装置２１が存在するものとする。ここで、バッテリ４個直列型無停電電源装置１には、直列接続された４個のバッテリ２ａ〜２ｄが内蔵され、バッテリ４個直列型無停電電源装置１の回路部３に接続されている。また、バッテリ８個直列型無停電電源装置２１には、直列接続された８個のバッテリ２２ａ〜２２ｈが内蔵され、バッテリ８個直列型無停電電源装置２１の回路部２３に接続されている。
【００１２】
また、増設バッテリボックス１１には、バッテリ４個直列型無停電電源装置１に内蔵されたバッテリの個数（＝４）と、８個直列型無停電電源装置２１に内蔵されたバッテリの個数（＝８）の最小公倍数にてユニット化された８個のバッテリ１２ａ〜１２ｈが搭載されている。そして、増設バッテリボックス１１に搭載された８個のバッテリ１２ａ〜１２ｈのうちの４個のバッテリ１２ａ〜１２ｄが直列接続されるとともに、８個のバッテリ１２ａ〜１２ｈのうちの残りの４個のバッテリ１２ｅ〜１２ｈが直列接続されている。
【００１３】
さらに、増設バッテリボックス１１には、バッテリ４個直列型無停電電源装置１に内蔵されたバッテリ２ａ〜２ｄの個数（＝４）の２倍を並列接続する切り替え部１３ａが設けられるとともに、８個直列型無停電電源装置２１に内蔵されたバッテリ２２ａ〜２２ｈの個数（＝８）に対応してバッテリ１２ａ〜１２ｈを直列接続する切り替え部１３ｂが設けられている。なお、切り替え部１３ａ、１３ｂとしては、例えば、コネクタまたは端子台を用いることができる。
【００１４】
そして、バッテリ４個直列型無停電電源装置１のバッテリを増設する場合、図１に示すように、直列接続された４個のバッテリ１２ａ〜１２ｄを、切り替え部１３ａを介してバッテリ２ａ〜２ｄに並列接続するとともに、直列接続された４個のバッテリ１２ｅ〜１２ｈを、切り替え部１３ａを介してバッテリ２ａ〜２ｄに並列接続する。
また、バッテリ８個直列型無停電電源装置２１のバッテリを増設する場合、図２に示すように、直列接続されたバッテリ１２ａ〜１２ｄとバッテリ１２ｅ〜１２ｈとを切り替え部１３ｂを介して直列接続し、これら８個のバッテリ１２ａ〜１２ｈを組としてバッテリ２２ａ〜２２ｈに並列接続する。
【００１５】
これにより、バッテリ４個直列型無停電電源装置１に内蔵されているバッテリ２ａ〜２ｄの個数とバッテリ８個直列型無停電電源装置２１に内蔵されているバッテリ２２ａ〜２２ｈの個数が異なる場合にいても、増設バッテリボックス１１に搭載されているバッテリ１２ａ〜１２ｈの直列接続数を切り替えることで、増設バッテリボックス１１を交換することなく、バッテリ４個直列型無停電電源装置１に内蔵されているバッテリ２ａ〜２ｄの個数とバッテリ８個直列型無停電電源装置２１に内蔵されているバッテリ２２ａ〜２２ｈの個数の整数倍が並列接続されるように構成することができる。このため、製造者側では、バッテリ４個直列型無停電電源装置１およびバッテリ８個直列型無停電電源装置２１ごとに増設バッテリボックス１１を開発する必要がなくなるとともに、使用者側では、バッテリ４個直列型無停電電源装置１およびバッテリ８個直列型無停電電源装置２１ごとに増設バッテリボックス１１を購入する必要がなくなり、製造者側および使用者側の負担を軽減しつつ、バッテリ４個直列型無停電電源装置１およびバッテリ８個直列型無停電電源装置２１に接続されたバッテリをそれぞれ増設することができる。
【図面の簡単な説明】
【００１６】
【図１】本発明の一実施形態に係る増設バッテリボックスの接続方法を示す平面図である。
【図２】本発明の一実施形態に係る増設バッテリボックスの接続方法を示す平面図である。
【図３】従来の４個直列タイプの増設バッテリボックスの接続方法を示す平面図である。
【図４】従来の８個直列タイプの増設バッテリボックスの接続方法を示す平面図である。
【符号の説明】
【００１７】
１  バッテリ４個直列型無停電電源装置
２ａ〜２ｄ、２２ａ〜２２ｈ  内蔵バッテリ
１２ａ〜１２ｈ  増設用バッテリ
３、２３  回路部
１１  増設バッテリボックス
１３ａ  １３ｂ  切り替え部
２１  バッテリ８個直列型無停電電源装置
【図１】
2007215267.tif 000003
【図２】
2007215267.tif 000004
【図３】
2007215267.tif 000005
【図４】
2007215267.tif 000006